(57)【要約】【課題】セカンダリラッチの剛性を高めるとともに、ベースプレートを固定する締結部材の締結作業を容易にする。【解決手段】セカンダリラッチ１２は、ベースプレート８の後面に対向し、かつ枢軸１６により枢支される基部１２１と、フードが半開位置にあるとき、フードに設けられたストライカに係合可能なフック部１２２及びフードと車体との間の隙間から手動操作可能な操作部１２４とを有する。セカンダリラッチ１２の基部１２１を、ボルト７の頭部７１及びベースプレート８の取付片８１に対向する対向面を含む形状とするとともに、対向面に、少なくともボルト７の頭部７１より大径の孔部１２５を設ける。  【選択図】  図２
2008144436.tif 000002
【特許請求の範囲】
【請求項１】
車体の取付部に締結部材により固定される取付片を有するベースプレートに、前記車体に開閉自在に支持されたフードを半開位置に拘束可能なセカンダリラッチを配設し、前記セカンダリラッチは、前記ベースプレートの後面に対向し、かつ枢軸により枢支される基部と、前記フードが半開位置にあるとき、前記フードに設けられたストライカに係合可能なフック部及び前記フードと車体との間の隙間から手動操作可能な操作部とを有する車両用フードロック装置において、
前記セカンダリラッチの前記基部を、前記締結部材の頭部及び前記取付片に対向する対向面を含む形状とするとともに、前記対向面に、少なくとも前記締結部材の頭部より大径の孔部を設けたことを特徴とする車両用フードロック装置。
【請求項２】
前記セカンダリラッチの前記基部に、前記取付片の外周を迂回するように、前方へ向けて延出する操作アーム部を連設するとともに、前記操作アーム部の前端部に、前記操作部を設けたことを特徴とする請求項１記載の車両用フードロック装置。
【請求項３】
前記セカンダリラッチの前記操作アーム部を、縦断面形状をほぼＬ字型としたことを特徴とする請求項２記載の車両用フードロック装置。
【請求項４】
前記セカンダリラッチの前記操作アーム部を、前方へ真直ぐに延出したことを特徴とする請求項２または３記載の車両用フードロック装置。
【発明の詳細な説明】
【技術分野】
【０００１】
本発明は、車体に開閉自在に支持されたフードを半開位置に拘束可能なセカンダリラッチを備えた車両用フードロック装置に関する。
【背景技術】
【０００２】
車両用フードロック装置においては、エンジンルーム内に設けられるラジエタコアサポートに締結部材をなすボルトにより固定されるベースプレートを備え、このベースプレートには、車体に開閉自在に枢着されたフロントフードを全閉位置に拘束するプライマリラッチと、半開位置に拘束するセカンダリラッチが配設されている。
【０００３】
また、フロントフードの前端部が下方に傾斜したスラントノーズ、または、フロントエンド・モジュールを採用した車両等においては、ラジエタコアサポートの前面にフードロック装置を配置するスペースがないため、フードロック装置はラジエタコアサポートの後側に配置される。そして、セカンダリラッチの操作部は、フロントフードが半開位置にあるとき、フロントフードの前端部とラジエタグリルとの間の隙間から手動操作できるように、ラジエタコアサポートの上部を跨いで前方へ延出される（例えば、特許文献１参照）。
【特許文献１】特開平８−１３３１２８号公報
【発明の開示】
【発明が解決しようとする課題】
【０００４】
上述のような車両用フードロック装置においては、セカンダリラッチの基部（ベースプレートの後面に対向する部分）を枢軸によりベースプレートに枢支するとともに、基部に、ベースプレート締結用のボルトの頭部を迂回するようにして前方へ延出した操作アーム部を連設し、この操作アーム部の前端部に操作部を設けているため、特に、基部と操作アーム部との連設箇所の上下幅が細くなって、この部分が操作部からの入力により変形し易い問題がある。この問題を解消するため、セカンダリラッチの剛性が増すような形状、例えば、セカンダリラッチの基部と操作アーム部とを繋ぐ部分の幅を大きくすることが考えられる。しかし、このようにすると、基部がベースプレート締結用のボルトの頭部に重合することとなり、その結果、ベースプレートをラジエタコアサポートに締結することができなくなるおそれがある。
【０００５】
本発明は、上述のような問題点に鑑み、セカンダリラッチの剛性を高めるとともに、ベースプレートを固定する締結部材の締結作業を容易に行うことができるようにした車両用フードロック装置を提供することを目的としている。
【課題を解決するための手段】
【０００６】
本発明によると、上記課題は、次のようにして解決される。
（１）車体の取付部に締結部材により固定される取付片を有するベースプレートに、前記車体に開閉自在に支持されたフードを半開位置に拘束可能なセカンダリラッチを配設し、前記セカンダリラッチは、前記ベースプレートの表面または裏面に対向し、かつ枢軸により枢支される基部と、前記フードが半開位置にあるとき、前記フードに設けられたストライカに係合可能なフック部及び前記フードと車体との間の隙間から手動操作可能な操作部とを有する車両用フードロック装置において、前記セカンダリラッチの前記基部を、前記締結部材の頭部及び前記取付片に対向する対向面を含む形状とするとともに、前記対向面に、少なくとも前記締結部材の頭部より大径の孔部を設ける。
【０００７】
（２）上記(１)項において、前記セカンダリラッチの前記基部に、前記取付片の外周を迂回するように、前記フードの先端部へ向けて延出する操作アーム部を連設するとともに、前記操作アーム部の先端部に、前記操作部を設ける。
【０００８】
（３）上記(２)項において、前記セカンダリラッチの前記操作アーム部を、縦断面形状をほぼＬ字型とする。
【０００９】
（４）上記(２)または(３)項において、前記セカンダリラッチの前記操作アーム部を、前記フードの先端部へ向けて真直ぐに延出する。
【発明の効果】
【００１０】
本発明によれば、次のような効果が奏せられる。
請求項１記載の発明によると、セカンダリラッチの基部を、締結部材の頭部及び取付片に対向する対向面を含む形状としたことにより、基部と操作部とを繋ぐ部分の幅を大きくすることができ、セカンダリラッチの剛性を向上させることができる。また、セカンダリラッチに設けた孔部を利用して、ベースプレートを車体の取付部に固定するための締結部材の締結作業を容易に行うことができる。
【００１１】
請求項２記載の発明によると、例えば、フードロック装置を車体の取付部の前部に配置するスペースがない車両に対しても、セカンダリラッチの操作部を、フードが半開位置にあるとき、手動操作可能な位置に配置することができる。
【００１２】
請求項３記載の発明によると、セカンダリラッチの操作アーム部の剛性が向上して、操作アーム部の変形を防止することができる。
【００１３】
請求項４記載の発明によると、セカンダリラッチの基部と操作部とを最短距離で連結することができ、重量増を最小限に止めることができる。
【発明を実施するための最良の形態】
【００１４】
以下、本発明に係わる一実施形態を、図面に基づいて説明する。図１は、本発明に係わるフードロック装置６が配置される車両のフロント部の近傍を示している。なお、以下の説明においては、図１における左方及び図２における図面手前をそれぞれ「後方」とし、図１における右方及び図２における図面奥側をそれぞれ「前方」とし、図２、３における左右方向を「左右方向」とする。
【００１５】
フロントフード１が上下方向に開閉自在に枢支された車両のフロント部のエンジンルーム内には、左右方向を向くラジエタコアサポート２が設けられている。ラジエタコアサポート２の下方には、ラジエタ３が取り付けられ、また、ラジエタ３の前方には、取付金具（図示略）を介して、エアコン内を循環する冷媒を冷却するためのコンデンサ４が取り付けられている。さらに、コンデンサ４の前部には、車体の一部をなすフロントグリル５が取り付けられている。
【００１６】
ラジエタコアサポート２は、薄板状の鉄板をほぼ下向コ字型に折曲させて形成したもので、その後面の取付部２１には、フロントフード１を全閉位置及び半開位置に拘束可能なフードロック装置６が取り付けられている。
【００１７】
フードロック装置６は、ラジエタコアサポート２の取付部２１に締結部材をなす前後方向を向くボルト７により固定される左右の取付片８１を有する薄板状の鉄板で形成されたベースプレート８を備えている。
【００１８】
図２に示すように、ベースプレート８の中央上部には、フロントフード１の全閉時、フロントフード１の前部内側に固着されたストライカ９（図１参照）が上方から進入可能なストライカ進入溝８２が設けられている。
【００１９】
ベースプレート８の前面、すなわちラジエタコアサポート２の後面に対向する面には、フロントフード１の全閉時、ストライカ９に係合可能なプライマリラッチ１０と、プライマリラッチ１０に係合可能なロッキングプレート１１が配設され、また、同じく後面には、フロントフード１が全閉位置から僅かに開いた半開位置で、ストライカ９の近傍に設けられたセカンダリストライカ９Ａに係合可能なセカンダリラッチ１２が配設されている。
【００２０】
プライマリラッチ１０は、前後方向を向くラッチ軸１３をもって、ベースプレート８におけるストライカ進入溝８２の左側に枢着されるとともに、ストライカ９と係脱可能な係合溝１０１を有し、フロントフード１が全閉位置に閉じられると、図２に示す待機位置から時計方向へほぼ９０度回転したロック位置へ回動する。
【００２１】
ロッキングプレート１１は、前後方向を向くロッキングプレート軸１４をもって、ベースプレート８におけるストライカ進入溝８２の右側に枢着されるとともに、プライマリラッチ１０がロック位置に回動することにより、プライマリラッチ１０に係合して、プライマリラッチ１０をロック位置に拘束する。
【００２２】
フロントフード１が全閉位置にあるとき、車内に設けられたオープナハンドル（図示略）を操作すると、ロッキングプレート１１が、ケーブル（図示略）を介して、スプリング１８の付勢力に抗して、プライマリラッチ１０から離脱する位置へ回動して、プライマリラッチ１０の回動を自由にする。
【００２３】
プライマリラッチ１０の回動が自由になると、プライマリラッチ１０が、プライマリラッチ１０を待機位置に向けて付勢するリフトスプリング１５の付勢力により、ロック位置から待機位置へ回動させられる。これにより、フロントフード１は、図１に実線で示す全閉位置から２点鎖線で示す半開位置に持ち上げられる。フロントフード１が半開位置にあるときは、フロントフード１の前端部（または先端部）とフロントグリル５との間の隙間に手を差し入れて、セカンダリラッチ１２の後述の操作部１２４を手動操作することができる。
【００２４】
セカンダリラッチ１２は、全体が薄板状の鉄板により形成され、ベースプレート８の後面に対向し、かつ枢軸１６によりベースプレート８に枢着される基部１２１と、セカンダリストライカ９Ａに係脱可能なフック部１２２と、フロントフード１が半開位置にあるとき、フロントフード１の前端とフロントグリル５との間の隙間から手動操作可能な操作部１２４とを有している。なお、枢軸１６は、ベースプレート８のストライカ進入溝８２と右側の取付片８１との間の領域に支持される。
【００２５】
フック部１２２は、基部１２１の左部に連設されて上方へ延出している。操作部１２４は、基部１２１の右部に連設され、かつ右側の取付片８１の外周を迂回して、ラジエタコアサポート２の上部を超えて、前方へ真直ぐに延出された操作アーム部１２３の前端部に設けられる。操作アーム部１２３は、その縦断面形状がほぼ横向きＬ字型をなしている。
【００２６】
基部１２１は、右側のボルト７の頭部７１を含む右側の取付片８１に対向する対向面を含む形状として、右側のボルト７の頭部７１及び右側の取付片８１の後方に重合するとともに、基部１２１の対向面には、少なくともボルト７の頭部７１より大径の孔部１２５が設けられている。
【００２７】
孔部１２５は、前後方向に貫通して、後方からボルト７及びボルト７を締結するための工具を挿入可能とする。これにより、セカンダリラッチ１２の基部１２１をボルト７の頭部７１に重合し得る形状としても、ボルト７の締結を容易に行うことができる。
【００２８】
また、セカンダリラッチ１２の基部１２１を、ボルト７の頭部７１に対向する対向面を含む形状としたことにより、基部１２１と操作アーム部１２３を介して操作部１２４とを繋ぐ部分の幅を大ききすることができ、セカンダリラッチ１２の剛性を向上させることができる。
【００２９】
フロントフード１が半開位置にある場合、セカンダリラッチ１２のフック部１２２がセカンダリストライカ９Ａに係合している。この状態で、フロントフード１の前端とフロントグリル５との間の隙間から手を差し入れて、セカンダリラッチ１２の操作部１２４を、セカンダリラッチ１２を係合方向へ付勢しているスプリング１７の付勢力に抗して、図２、３に示す矢印Ａ方向へ操作することにより、フック部１２２をセカンダリストライカ９Ａから離脱させることができる。このとき、操作アーム部１２３は、縦断面形状をほぼ横向きＬ字型として剛性が高いため、変形することはない。また、基部１２１と操作アーム部１２３を介して操作部１２４とを繋ぐ部分の幅を大きくすることができるため、基部１２１も変形することはない。よって、操作部１２４を操作した際、各部の変形を少なくして、セカンダリラッチ１２を確実に作動させることができる。
【００３０】
また、操作アーム部１２３と操作部１２４との折曲部に、三角形状のビード等を施すことにより、剛性をより高めることができる。
【図面の簡単な説明】
【００３１】
【図１】本発明に係わるフードロック装置が配置される車両のフロント部近傍の縦断面図である。
【図２】フードロック装置の後面図である。
【図３】フードロック装置の平面図である。
【図４】セカンダリラッチの斜視図である。
【符号の説明】
【００３２】
１  フロントフード
２  ラジエタコアサポート
３  ラジエタ
４  コンデンサ
５  フロントグリル
６  フードロック装置
７  ボルト
８  ベースプレート
９  ストライカ
９Ａ  セカンダリストライカ
１０  プライマリラッチ
１１  ロッキングプレート
１２  セカンダリラッチ
１３  ラッチ軸
１４  ロッキングプレート軸
１５  リフトスプリング
１６  枢軸
１７、１８  スプリング
２１  取付部
７１  頭部
８１  取付片
８２  ストライカ進入溝
１０１  係合溝
１２１  基部
１２２  フック部
１２３  操作アーム部
１２４  操作部
１２５  孔部
【図１】
2008144436.tif 000003
【図２】
2008144436.tif 000004
【図３】
2008144436.tif 000005
【図４】
2008144436.tif 000006